(57)【要約】【課題】簡易な構造で、音質、音量を高めることのできる携帯機器用拡声具を提供する。【解決手段】携帯機器用拡声具１は、胴部１０と底部２０を有し、底部と対向する側が開口部４０である有底筒状に形成され、胴部及び／又は底部に、携帯機器８０を挿着するための挿入口３０を備えており、紙製、金属製、プラスチック製、及び木製から選ばれる１種又はこれらの組み合わせからなる。胴部の開口断面は、底部から開口部に向かって次第に拡がるように形成されており、挿入口は、胴部に備えられ、底部に平行なスリット状に形成されている。胴部は、挿入口を備えた上板１１と、上板１１と対向する下板１３と、一対の側板１２とを構成する４枚の四角形平面体からなり、底部２０は、四角形平面体からなる底板である。【選択図】図１
0003187559.tif 000002
【実用新案登録請求の範囲】
【請求項１】
携帯機器のスピーカー音を拡声するための携帯機器用拡声具であって、
該携帯機器用拡声具は、胴部と底部を有し、該底部と対向する側が開口部である有底筒状に形成され、
胴部及び／又は底部に、携帯機器を挿着するための挿入口を備えている携帯機器用拡声具。
【請求項２】
前記挿入口は前記胴部及び／又は底部に複数備えられている請求項１に記載の携帯機器用拡声具。
【請求項３】
紙製、金属製、プラスチック製、及び木製から選ばれる１種又はこれらの組み合わせからなる請求項１又は２に記載の携帯機器用拡声具。
【請求項４】
前記胴部の開口断面は、前記底部から前記開口部に向かって次第に拡がるように形成されている請求項１乃至３のうちのいずれか１項に記載の携帯機器用拡声具。
【請求項５】
前記挿入口は、前記胴部に備えられ、前記底部に平行なスリット状に形成されている請求項１乃至４のうちのいずれか１項に記載の携帯機器用拡声具。
【請求項６】
前記胴部は、挿入口を備えた上板と、該上板と対向する下板と、一対の側板と、からなる請求項１乃至５のうちのいずれか１項に記載の携帯機器用拡声具。
【請求項７】
前記上板の開口端縁と前記下板の開口端縁とを結ぶ平面と、該下板とのなす角は鋭角に形成されている請求項６に記載の携帯機器用拡声具。
【請求項８】
前記底部は、四角形平面体からなる底板であり、前記下板に対して鈍角に形成されている請求項６又は７に記載の携帯機器用拡声具。
【請求項９】
前記底部には、前記開口部に向かって突出した載置片を更に備え、前記携帯機器を該載置片に載置可能とした請求項６乃至８のうちのいずれか１項に記載の携帯機器用拡声具。
【請求項１０】
一枚のシート材を折り曲げ加工して形成された請求項６乃至９のうちのいずれか１項に記載の携帯機器用拡声具。
【考案の詳細な説明】
【技術分野】
【０００１】
本考案は、携帯機器のスピーカー音を拡声するための携帯機器用拡声具に関する。
【背景技術】
【０００２】
近年、スマートフォンなどの携帯機器を利用して音楽を聴くことが広く普及してきている。しかしながら、これらの携帯機器は、小型であり、内蔵されたスピーカーによっては、十分な音質、音量を得ることが困難である。そのため、携帯機器とは別に音響機器としてのスピーカーを接続して、音響効果を高めることが行われている。
これらの音響機器は、音響効果を十分なものとするため、電源を必要とし、構造も電子機器を利用した複雑なものになりやすい。
【０００３】
ここで、電源を必要としないで、携帯機器の音響効果を向上させるための拡声具が提案されている（例えば、特許文献１参照。）。
この特許文献１に記載の携帯機器用の拡声具によれば、携帯機器を装着することによって形成される音源室を共通の音源室として第１のホーンと第２のホーンとを形成し、これらは、音源室を挟んで反対方向に開口している。
そのため、いずれか一方のホーンからの放射音を直接音とし、他方のホーンからの放射音を間接音として利用することができる。
【先行技術文献】
【特許文献】
【０００４】
【特許文献１】特開２０１２−１７５２５５号公報
【考案の概要】
【考案が解決しようとする課題】
【０００５】
しかし、特許文献１の拡声具は、音源室を挟んで反対方向に開口する第１ホーンと第２ホーンを形成する必要があり、構造がやや複雑である。
本考案は、この問題を解決するものであり、簡易な構造で、音質、音量を高めることのできる携帯機器用拡声具を提供することを目的とする。
【課題を解決するための手段】
【０００６】
前記課題を解決するための本考案は、以下の通りである。
１．携帯機器のスピーカー音を拡声するための携帯機器用拡声具であって、
該携帯機器用拡声具は、胴部と底部を有し、該底部と対向する側が開口部である有底筒状に形成され、
胴部及び／又は底部に、携帯機器を挿着するための挿入口を備えている携帯機器用拡声具。
２．前記挿入口は前記胴部及び／又は底部に複数備えられている１．に記載の携帯機器用拡声具。
３．紙製、金属製、プラスチック製、及び木製から選ばれる１種又はこれらの組み合わせからなる１．又は２．に記載の携帯機器用拡声具。
４．前記胴部の開口断面は、前記底部から前記開口部に向かって次第に拡がるように形成されている１．乃至３のうちのいずれか１項に記載の携帯機器用拡声具。
５．前記挿入口は、前記胴部に備えられ、前記底部に平行なスリット状に形成されている１．乃至４．のうちのいずれか１項に記載の携帯機器用拡声具。
【０００７】
６．前記胴部は、挿入口を備えた上板と、該上板と対向する下板と、一対の側板と、からなる１．乃至５．のうちのいずれか１項に記載の携帯機器用拡声具。
７．上板の開口端縁と下板の開口端縁とを結ぶ平面と、前記下板とのなす角は鋭角に形成されている６．に記載の携帯機器用拡声具。
８．前記底部は、四角形平面体からなる底板であり、前記下板に対して鈍角に形成されている６．又は７．に記載の携帯機器用拡声具。
９．前記底部には、開口部に向かって突出した載置片を更に備え、前記携帯機器を該載置片に載置可能とした６．乃至８．のうちのいずれか１項に記載の携帯機器用拡声具。
１０．一枚のシート材を折り曲げ加工して形成された６．乃至９．のうちのいずれか１項に記載の携帯機器用拡声具。
【考案の効果】
【０００８】
１．本考案の携帯機器用拡声具（以下「拡声具」ともいう。）は、胴部と底部を有し、底部と対向する側が開口部である有底筒状に形成され、胴部及び／又は底部に、携帯機器を挿着するための挿入口を備えているため、簡易な構造で、音質、音量を高めることができる。
２．挿入口が胴部及び／又は底部に複数備えられている場合には、携帯機器の種類、或いは好みの音質、音量を選択する上で、適宜挿入する位置を変更して使用することができる。
３．拡声具が、紙製、金属製、プラスチック製、及び木製から選ばれる１種又はこれらの組み合わせからなることができ、材質の相違によりそれぞれ異なった音質、音量とすることができる。
４．胴部の開口断面が、底部から前記開口部に向かって次第に拡がるように形成されている場合には、音を拡大する効果を一層高めることができる。
５．挿入口が、胴部に備えられ、底部に平行なスリット状に形成されている場合には、通常のスマートフォンを挿入するのに適したものとすることができる。
【０００９】
６．胴部が、挿入口を備えた上板と、この上板と対向する下板と、一対の側板と、からなる場合には製作が容易で、簡易な構造で、音質、音量を高めることができる。
７．上板の開口端縁と下板の開口端縁とを結ぶ平面と、前記下板とのなす角が鋭角に形成されている場合には、開口部が斜め上方に向かって開口するため、音声を聴く方向に開口端が向けられることになり、一層音質、音量に優れることになる。
８．底部が、四角形平面体からなる底板であり、下板に対して鈍角に形成されている場合には、携帯機器と底部との間により大きな空間を確保できるため、底部からの反射音を効果的に響かせることができる。
９．底部に、開口部に向かって突出した載置片を更に備え、携帯機器を載置片に載置可能とした場合には、携帯機器の大部分を本体から突出させることができ、画面操作をしながら、或いは、画像（動画）を見ながら音楽を楽しむことができる。
１０．拡声具が、一枚のシート材を折り曲げ加工して形成される場合には、組み立てが容易で、コストを下げることができる。また、一枚のシート材として持ち運び、使用場所において組み立てることができる。
【図面の簡単な説明】
【００１０】
【図１】実施形態１に係り、本考案の拡声具に携帯機器を装着した状態を示す斜視図である。
【図２】図１において、携帯機器を省略したＡ−Ａ断面図である。
【図３】実施形態１に係り、携帯機器の下部に備えたスピーカーからの音が底部に反響して開口部へ向かう状態を示す説明断面図である。
【図４】実施形態２に係り、拡声具の載置片に携帯機器を載置した状態を示す斜視図である。
【図５】実施形態２に係り、図４のＢ−Ｂ断面図である。
【図６】実施形態２に係り、拡声具を作成するためのシート材の展開図である。
【図７】実施形態３に係り、載置片の端縁部に携帯機器を載置した状態を示す斜視図である。
【図８】実施形態３に係り、拡声具を作成するためのシート材の展開図である。
【図９】実施形態４に係り、複数の挿入口を備えた拡声具の斜視図である。
【図１０】実施形態５に係り、アーチ型形状の拡声具の斜視図である。
【考案を実施するための形態】
【００１１】
以下、本考案の実施形態を示す図１〜１０を参照しながら本考案を詳しく説明する。
尚、本考案は、かかる図に記載された具体例に示すものに限られず、目的、用途に応じて種々変更したものとすることができる。
【００１２】
[実施形態１]
実施形態１に係る携帯機器用拡声具１は、図１に示すように、携帯機器８０のスピーカー音を拡声するための用具であって、胴部１０と底部２０を有し、底部２０と対向する側が開口部４０である有底筒状に形成され、胴部１０に、携帯機器８０を挿着するための挿入口３０を備えている。
前記「携帯機器」は、スマートフォン、携帯電話機、デジタル音楽プレイヤーなどの携帯用の機器であって音声を発するスピーカーを備えている機器を意味し、通常スマートフォンである。
前記「胴部」は、筒状に形成されていれば特に限定はなく、角筒状、円筒状、或いはこれらの組み合わせとすることができる。
前記「底部」は、胴部の一方側を塞ぐように構成されていれば特に限定はなく、湾曲形状、平板形状或いはこれらの組み合わせ等とすることができる。
【００１３】
図１に示す拡声具１は、胴部１０が上板１１と、上板１１と対向する下板１３と、一対の側板１２と、で構成される。この構成であれば、製作が容易で、簡易な構造で、音質、音量を高めることができる。
底部２０は、長方形状の四角形平面体からなる底板で構成されている。
【００１４】
更に、図２に示すように、拡声具１は、胴部１０の開口断面が、底部２０から開口部に向かって次第に拡がるように形成されている。このため、音を拡大する効果を一層高めることができる。
挿入口３０は、上板１１に備えられ、底板２０に平行なスリット状に形成されているため、通常のスマートフォンを挿入するのに適したものとなっている。
【００１５】
携帯機器８０を拡声具１に挿着するに際しては、図１に示すように、画面８１を開口部４０側に向けてもよいが、底部２０側に向けて載置してもよい。
更に、図３に示すように、携帯機器８０の上部が開口部側に傾斜するようにしてもよい。
このように、拡声具１に対する携帯機器８０のスピーカーの位置関係を変更することによって、様々な音質、音量で音楽を楽しむことができる。
【００１６】
図２に示すように、上板１１の開口端縁１１ｅと下板１３の開口端縁１３ｅとを結ぶ平面１９と、下板１３とのなす角αが鋭角に形成されている場合には、開口部が音声を聴く方向である斜め上方に向かって開口するため一層音質、音量に優れることになる。この角αは、７５〜８５度であることが好ましく、７７〜８３度であることが更に好ましく、７９〜８１度であることが特に好ましい。
【００１７】
そして、底板２０が、下板１３に対して鈍角βに形成されている場合には、図３に示すように、携帯機器８０と底板２０との間により大きな空間５０を確保できるため、携帯機器８０のスピーカー８５が発する音が、底部２０の内面に反射し、その反射音を効果的に響かせることができる。
この角βは、９５〜１０５度であることが好ましく、９７〜１０３度であることが更に好ましく、９９〜１０１度であることが特に好ましい。
【００１８】
拡声具１の材質は、ダンボール紙製であるが、特に限定はなく、その他の紙製、金属製、プラスチック製、及び木製又はこれらの組み合わせからなることができ、材質の相違により様々な音質、音量にすることができる。
【００１９】
[実施形態２]
実施形態２に係る拡声具２は、図４及び図５に示すように、底板２０に、開口部４０に向かって突出した載置片２５を備え、携帯機器８０を載置片２５に載置することができる。
そして、携帯機器８０の大部分を本体から突出させることができ、画面操作をしながら、或いは、画像（動画）を見ながら音楽を楽しむことができる。
拡声具２は、図６に示す１枚のダンボール製のシート材２Ａを折り曲げ加工して形成することができる。
【００２０】
拡声具２の組み立て手順を以下に説明する。なお、この組み立て手順は一例であって、この手順に限定されるものではない。
図６において、まず、上板素材１１ａに対して、上板素材１１ｂを内側に折り曲げ、両面テープ１１ｆにより接着して、上板１１を形成する。
同様に、下板素材１３ａに対して、下板素材１３ｂを内側に折り曲げ、両面テープ１３ｆにより接着して下板１３を形成する。
また、底板素材２０ａに対して、底板素材２０ｂを内側に折り曲げ、両面テープ２０ｆにより接着して底板２０の外側部分を形成する。
【００２１】
次いで、側板素材１２ａ、１２ｂを上板１１に対して内側に折り曲げて立ち上げ、一対の側板１２を形成する。そして、下板１３を上板１１に対向するように内側に折り曲げ、更に、一対の係止片１４ｓを折りしろ１４に備えた係止孔１４ｈに係合させると、角筒状の胴部１０が形成される。
そして、一対の載置片支持部材２０ｄを載置片２５と共に胴部１０の底部側を覆うように折り曲げ、更に、載置片２５を開口部に向かって突出するように折り曲げ形成する。
【００２２】
次いで、載置片支持部材２０ｄ上に底板の内側部分２０ｃを折り曲げ被着する。そして、その上に、底板２０の外側部分を折り曲げ被着し、係止片１６ｓを係止孔１６ｈに係合することにより、拡声具２が完成する。
このように、組み立てが容易で、歩留まりがよく、コストを下げることができる。また、一枚のシート材として持ち運び、使用場所において楽しんで組み立てることもできる。
拡声具２のその他の構成、作用効果は拡声具１と同様であり前述した通りである。
【００２３】
[実施形態３]
実施形態３に係る拡声具３は、図７に示すように、底部２０に、開口部４０に向かって突出した載置片２６を備えている。拡声具２との相違点は、拡声具２の載置片２５が、下板１３に対して水平であるのに対して、拡声具３の載置片２６は、下板１３に対して垂直である点である。こうすることで、携帯機器８０をより強度的に安定して載置できる。
【００２４】
拡声具３は、図８に示す１枚のダンボール製のシート材３Ａを折り曲げ加工して形成することができる。拡声具２と異なり、一対の載置片支持部材２０ｇと載置片２６を備えている。
組み立てに際しては、拡声具２と同様に胴部を形成した後、一対の載置片支持部材２０ｇを載置片２６と共に胴部１０の底部側を覆うように折り曲げ、更に、載置片２６を開口部に向かって突出するように折り曲げ形成する。
他の組み立て手順については、拡声具２と同様であり、組み立ての効果についても、拡声具２と同様であり、前述した通りである。
また、拡声具３のその他の構成、作用効果についても拡声具２と同様であり前述した通りである。
【００２５】
[実施形態４]
実施形態４に係る拡声具４は、図９に示すように、挿入口３１、３２、３３を形成可能にそれぞれにミシン目が設けられている。ミシン目で切り抜くことによって、挿入口を形成することができる。挿入口３２は、挿入口３１には挿入できない幅広の携帯機器の場合に有用であり、挿入口３３は別の音質、音量を楽しみたい場合に有益である。いずれかの挿入口のみを設けてもよいし、２箇所または３箇所とも切り抜いてもよい。また、図示しないが側板１２に挿入口を設けてもよい。
なお、必ずしもミシン目で切り抜き可能とせず、最初から複数の挿入口を設けていてもよいことはいうまでもない。
拡声具３のその他の構成、作用効果は拡声具１と同様であり前述した通りである。
【００２６】
[実施形態５]
実施形態５に係る拡声具５は、図１０に示すように、胴部が四角平面体の下板１３とアーチ形状の板１７から形成されている。そして上部に挿入口３５が備えられ、携帯機器８０が挿入されている。アーチ形状であるため、強度に優れるという利点がある。
拡声具５のその他の構成、作用効果については拡声具１と同様であり前述した通りであ。
【符号の説明】
【００２７】
１、２、３、４、５・・・・・・・・携帯機器用拡声具
２Ａ、３Ａ・・・・・・・・・・・・シート材
１０・・・・・・・・・・・・・・・胴部
１１・・・・・・・・・・・・・・・上板
１１ｅ・・・・・・・・・・・・・・上板の開口端縁
１２・・・・・・・・・・・・・・・側板
１３・・・・・・・・・・・・・・・下板
１３ｅ・・・・・・・・・・・・・・下板の開口端縁
１９・・・・・・・・・・・・・・・平面
２０・・・・・・・・・・・・・・・底部（底板）
２５、２６・・・・・・・・・・・・載置片
３０、３１、３２、３３、３５・・・挿入口
４０・・・・・・・・・・・・・・・開口部
８０・・・・・・・・・・・・・・・携帯機器
α・・・・・・・・・・・・・・・・鋭角
β・・・・・・・・・・・・・・・・鈍角
【図１】
0003187559.tif 000003
【図２】
0003187559.tif 000004
【図３】
0003187559.tif 000005
【図４】
0003187559.tif 000006
【図５】
0003187559.tif 000007
【図６】
0003187559.tif 000008
【図７】
0003187559.tif 000009
【図８】
0003187559.tif 000010
【図９】
0003187559.tif 000011
【図１０】
0003187559.tif 000012